(57)【特許請求の範囲】
【請求項１】
音源と、
前記音源から入力された音響信号から各周波数帯域の信号レベルを得るための信号レベル取得手段と、
前記信号レベル取得手段より得られた信号レベルを各周波数帯域ごとにバーグラフで表示する第１の表示手段と、
前記第１の表示手段の各周波数帯域に対応したバーグラフ表示領域を有する第２の表示手段と、
前記第２の表示手段を表示制御する制御手段とを備え、
前記制御手段は、
前記第２の表示手段のバーグラフ表示領域の下端に、予め定めた図形を点灯表示する手段と、
前記第１の表示手段において表示されるバーグラフの先端が、第１の表示手段におけるバーグラフ表示領域の上端に達したか否かを判断する判断手段と、
前記判断手段で前記バーグラフの先端が前記第１の表示手段におけるバーグラフ表示領域の上端に達したことが判断された場合、前記第２の表示手段におけるバーグラフ表示領域の下端に表示されている前記予め定めた図形を、前記第２の表示手段のバーグラフ表示領域の上方に向かって移動させるとともに、その後、当該バーグラフ表示領域の下端に戻す表示制御を行う手段と、
を備えたことを特徴とする音響再生表示装置。
【請求項２】
音源を備え、
前記音源から入力された音響信号から各周波数帯域の信号レベルを得るための信号レベル取得ステップと、
前記信号レベル取得ステップより得られた信号レベルを各周波数帯域ごとにバーグラフで表示する第１の表示ステップと、
前記第１の表示ステップの各周波数帯域に対応したバーグラフ表示領域を有する第２の表示ステップと、
前記第２の表示ステップを表示制御する制御ステップとを含み、
前記制御ステップは、
前記第２の表示ステップのバーグラフ表示領域の下端に、予め定めた図形を点灯表示するステップと、
前記第１の表示ステップにおいて表示されるバーグラフの先端が、第１の表示ステップにおけるバーグラフ表示領域の上端に達したか否かを判断する判断ステップと、
前記判断ステップで前記バーグラフの先端が第１の表示ステップにおけるバーグラフ表示領域の上端に達したことが判断された場合、前記第２の表示ステップにおけるバーグラフ表示領域の下端に表示されている前記予め定めた図形を、前記第２の表示ステップのバーグラフ表示領域の上方に向かって移動させるとともに、その後、当該バーグラフ表示領域の下端に戻す表示制御を行うステップと、
を含むことを特徴とする音響再生表示制御方法。
【請求項３】
音源を備え、
前記音源から入力された音響信号から各周波数帯域の信号レベルを得るための信号レベル取得処理と、
前記信号レベル取得処理より得られた信号レベルを各周波数帯域ごとにバーグラフで表示する第１の表示処理と、
前記第１の表示処理の各周波数帯域に対応したバーグラフ表示領域を有する第２の表示処理と、
前記第２の表示処理を表示制御する制御処理とをコンピュータに実行させ、
前記制御処理は、
前記第２の表示処理のバーグラフ表示領域の下端に、予め定めた図形を点灯表示する処理と、
前記第１の表示処理において表示されるバーグラフの先端が、第１の表示処理におけるバーグラフ表示領域の上端に達したか否かを判断する判断処理と、
前記判断処理で前記バーグラフの先端が第１の表示処理におけるバーグラフ表示領域の上端に達したことが判断された場合、前記第２の表示処理におけるバーグラフ表示領域の下端に表示されている前記予め定めた図形を、前記第２の表示処理のバーグラフ表示領域の上方に向かって移動させるとともに、その後、当該バーグラフ表示領域の下端に戻す表示制御を行う処理と、
をコンピュータに実行させることを特徴とする音響再生表示制御プログラム。
【発明の詳細な説明】
【０００１】
【発明の属する技術分野】
この発明は、ＭＤ（ミニディスク）やラジオなど音響を再生する技術の改良にかかわるもので、より具体的には、互いに接続された２つの機器の表示器で、一体のスペアナ表示を行うようにしたものである。
【０００２】
【従来の技術】
ＣＤやラジオ放送などの音響を再生するための装置として、カーオーディオシステムなどの音響再生装置が普及している。また、いわゆるスペアナ表示を行う音響再生装置も知られている。ここで、スペアナ（SPEctrum ANAlysis/ANAlyzer）表示とは、音響の周波数帯域ごとの強さを、各帯域に対応して並べたバーグラフなどのパターンで表すものである。
【０００３】
このようなスペアナ表示を行うための構成例としては、例えば次のようなものが挙げられる。すなわち、まず、アナログ音声信号を帯域ごとに分割してサンプリングすることで、帯域ごとの信号レベルを表すデジタル値（ＡＤ値と呼ぶ）をリアルタイムに得る。また、帯域ごとに、ＬＣＤ（液晶ディスプレイ）や蛍光管などの表示素子を複数並べてバーグラフの表示領域としておく。
【０００４】
そして、それぞれの表示領域について、変化する前記ＡＤ値の大きさに比例して表示素子を例えば上の方まで多く点灯させる。これによって、バーグラフが帯域ごとの信号レベルの変化に応じてリアルタイムに伸び縮みするようなスペアナ表示が実現される。
【０００５】
ところで、車載用の音響再生装置であるカーオーディオシステムとしては、２つの機器を互いに接続して構成され、それぞれに表示器を備えたものも知られている。このようなカーオーディオシステムでは、表示器の表示内容を機器ごとに切り替えることで、上記のようなスペアナ表示をどちらの表示器でも行えるような構成が可能である。さらに、一元的に作成したＡＤ値を両方の機器に配信する構成も考えられる。
【０００６】
この場合、従来では、個々の機器が別個独立に、与えられた同じＡＤ値に基づいてスペアナ表示のパターンを計算し、また、計算されたパターンはそれぞれの表示器に互いに別個独立に表示されていた。
【０００７】
【発明が解決しようとする課題】
しかしながら、上記のような従来技術では、同一のＡＤ値が配信されてもスペアナ表示はそれぞれの機器ごとに別個独立に行われる。このため、スペアナ表示のパターンによっては両方の機器で似たような表示がされていることになり、表示器を効果的に活用して情報の表示を行うことが困難であった。
【０００８】
特に、カーオーディオシステムでは、設置容積の制限から各機器と表示器を小さくせざるをえず、スペアナ表示をこのような表示面積の狭い単一の表示器で行うと細かく見づらいため、より大きくわかりやすいスペアナ表示が潜在的に求められていた。
【０００９】
この発明は、上記のような従来技術の問題点を解決するために提案されたもので、その目的は、互いに接続された２つの機器の表示器で、一体のスペアナ表示を行う音響再生表示装置及びその制御方法並びに制御プログラムを提供することである。
【００１０】
【課題を解決するための手段】
上に述べた目的を達成するため、請求項１の発明は、音源と、前記音源から入力された音響信号から各周波数帯域の信号レベルを得るための信号レベル取得手段と、前記信号レベル取得手段より得られた信号レベルを各周波数帯域ごとにバーグラフで表示する第１の表示手段と、前記第１の表示手段の各周波数帯域に対応したバーグラフ表示領域を有する第２の表示手段と、前記第２の表示手段を表示制御する制御手段とを備え、前記制御手段は、前記第２の表示手段のバーグラフ表示領域の下端に、予め定めた図形を点灯表示する手段と、前記第１の表示手段において表示されるバーグラフの先端が、第１の表示手段におけるバーグラフ表示領域の上端に達したか否かを判断する判断手段と、前記判断手段で前記バーグラフの先端が前記第１の表示手段におけるバーグラフ表示領域の上端に達したことが判断された場合、前記第２の表示手段におけるバーグラフ表示領域の下端に表示されている前記予め定めた図形を、前記第２の表示手段のバーグラフ表示領域の上方に向かって移動させるとともに、その後、当該バーグラフ表示領域の下端に戻す表示制御を行う手段と、を備えたことを特徴とする。
請求項２の発明は、請求項１の発明を方法という見方からとらえたもので、音源を備え、前記音源から入力された音響信号から各周波数帯域の信号レベルを得るための信号レベル取得ステップと、前記信号レベル取得ステップより得られた信号レベルを各周波数帯域ごとにバーグラフで表示する第１の表示ステップと、前記第１の表示ステップの各周波数帯域に対応したバーグラフ表示領域を有する第２の表示ステップと、前記第２の表示ステップを表示制御する制御ステップとを含み、前記制御ステップは、前記第２の表示ステップのバーグラフ表示領域の下端に、予め定めた図形を点灯表示するステップと、前記第１の表示ステップにおいて表示されるバーグラフの先端が、第１の表示ステップにおけるバーグラフ表示領域の上端に達したか否かを判断する判断ステップと、前記判断ステップで前記バーグラフの先端が第１の表示ステップにおけるバーグラフ表示領域の上端に達したことが判断された場合、前記第２の表示ステップにおけるバーグラフ表示領域の下端に表示されている前記予め定めた図形を、前記第２の表示ステップのバーグラフ表示領域の上方に向かって移動させるとともに、その後、当該バーグラフ表示領域の下端に戻す表示制御を行うステップと、を含むことを特徴とする。
請求項３の発明は、請求項１，３の発明をコンピュータのプログラムという見方からとらえたもので、音源を備え、前記音源から入力された音響信号から各周波数帯域の信号レベルを得るための信号レベル取得処理と、前記信号レベル取得処理より得られた信号レベルを各周波数帯域ごとにバーグラフで表示する第１の表示処理と、前記第１の表示処理の各周波数帯域に対応したバーグラフ表示領域を有する第２の表示処理と、前記第２の表示処理を表示制御する制御処理とをコンピュータに実行させ、前記第２の表示処理のバーグラフ表示領域の下端に、予め定めた図形を点灯表示する処理と、前記第１の表示処理において表示されるバーグラフの先端が、第１の表示処理におけるバーグラフ表示領域の上端に達したか否かを判断する判断処理と、前記判断処理で前記バーグラフの先端が第１の表示処理におけるバーグラフ表示領域の上端に達したことが判断された場合、前記第２の表示処理におけるバーグラフ表示領域の下端に表示されている前記予め定めた図形を、前記第２の表示処理のバーグラフ表示領域の上方に向かって移動させるとともに、その後、当該バーグラフ表示領域の下端に戻す表示制御を行う処理と、をコンピュータに実行させることを特徴とする。
以上のような態様では、２つの機器の２つの表示器を使って、一体のものとして大きくわかりやすいスペアナ表示が行われ、表示器が効果的に活用される。また、信号レベルが高い帯域で、上端まで伸びるバーグラフが玉などの図形を突き上げるように見えるので、信号レベルが高い帯域が容易に認識でき、また、ピンボールゲームのような面白い視覚効果が得られる。
【００１４】
【発明の実施の形態】
以下、本発明の実施の形態（以下「実施形態」という）について図面を参照しながら説明する。なお、本発明や実施形態を実現するには、プログラムコードやデータなどを含む図示しないソフトウェアが、コンピュータやその周囲の回路や機器を制御することが一般的と考えられる。
【００１５】
そのようなソフトウェアは、この明細書の記載にしたがった命令を組み合わせることで作られ、上に述べた従来技術と共通の部分には従来技術で説明した手法も使われる。そして、そのソフトウェアは、ＣＰＵや周辺回路、入出力装置、メモリなどの記憶装置やディスク再生機構といった物理的な資源を活用することで本発明の作用効果を実現する。
【００１６】
但し、ソフトウェアやハードウェアにはいろいろな形式や構成が考えられ、また、本発明の機能の一部をＬＳＩなどの物理的な電子回路で実現することも可能である。このため、以下では、本発明や実施形態に含まれる個々の機能を実現する仮想的回路ブロックを使って、本発明と実施形態とを説明する。
【００１７】
〔１．第１実施形態〕
〔１−１．第１実施形態の構成〕
まず、図１は、第１実施形態の機器構成の一例を示す図である。すなわち、第１実施形態は、この図に示すように、第１の機器であるスレーブユニット１と、第２の機器であるセンターユニット２、という２つの機器１，２が、ＢＵＳライン（バスとも表す）３によって互いに接続されたカーオーディオシステムである。
【００１８】
ここで、本発明にしたがって、２つの機器の表示器に一体のスペアナ表示を行うことを連動スペアナ表示と呼び、このような連動スペアナ表示を行うように機器が構成されていることを連動スペアナ対応と呼ぶ。すなわち、スレーブユニット１及びセンターユニット２は、連動スペアナ対応の機器であり、このうちセンターユニット２としては、例えば、アンプや音量調整スイッチなどを備えた制御用ユニットなどが考えられ、また、スレーブユニット１としては、ＣＤオートチェンジャといった外付け再生ユニットなどが考えられる。
【００１９】
このうち、スレーブユニット１は、ＬＣＤや蛍光管などの表示素子をマトリックス状に並べて構成された第１の表示器１２を備え、また、センターユニット２も、同様に構成された第２の表示器２２を備えている。また、センターユニット２及びスレーブユニット１は、操作用の各種キー４を備えている。
【００２０】
また、図２は、本実施形態のうち、特にＡＤ値に基づくスペアナ表示に関する構成の一例を示すハードウェアブロック図である。すなわち、スレーブユニット１及びセンターユニット２はそれぞれ、この図に示すように、制御用のマイクロコンピュータ（マイコンと呼ぶ）１３，２３を備え、特にスレーブユニット１は、簡易ＤＳＰ（デジタルシグナルプロセッサ）１５を備えている。
【００２１】
次に、図３は、本実施形態のより具体的な構成を示す機能ブロック図である。
【００２２】
すなわち、簡易ＤＳＰ１５は、与えられる音響信号から各周波数帯域ごとの信号レベルを表すＡＤ値を得るための手段であり、この図に示すように、周波数分割部５１と、Ａ／Ｄ変換部５２と、サンプリング部５３と、を備えている。
【００２３】
このうち周波数分割部５１は、オーディオ信号ラインから入力されるアナログ信号を、例えば１６に分けられた各周波数帯域（バンド）ごとの信号に分割する部分である。また、Ａ／Ｄ変換部５２は、分割された帯域ごとの信号をデジタル信号に変換する部分である。
【００２４】
また、サンプリング部５３は、変換された各デジタル信号をサンプリングすることで、帯域ごとの信号レベルを表す各ＡＤ値を出力する手段である。また、バス３は、このように得られた各ＡＤ値を、スレーブユニット１からセンターユニット２に送るための手段である。
【００２５】
また、スレーブユニット１のマイクロコンピュータ１３は、上記のような図示しないソフトウェアの作用によって、第１の生成部１７と、第１の駆動部１８と、としての役割を果たすように構成されている。また、センターユニット２のマイクロコンピュータ２３は、上記のような図示しないソフトウェアの作用によって、第２の生成部２７と、第２の駆動部２８と、としての役割を果たすように構成されている。
【００２６】
これらのうち、第１の生成部１７及び第２の生成部２７は、帯域ごとの信号レベルすなわち各ＡＤ値に基づいて、各表示器１２，２２に一体のものとして表示するための表示パターンを生成するための生成手段を構成している。具体的には、第１の生成部１７は、各表示器１２，２２に一体のものとして表示するためのスペアナ表示パターンのうち、表示器１２に表示する第１のパターンを、各ＡＤ値に基づいて生成するための第１の生成手段である。また、第２の生成部２７は、前記スペアナ表示パターンのうち、表示器２２に表示する第２のパターンを、送られた前記帯域ごとの信号レベルに基づいて生成するための第２の生成手段である。
【００２７】
また、第１の駆動部１８及び第２の駆動部２８は、生成されたパターンに基づいて各表示器１２，２２を駆動するための駆動手段を構成している。具体的には、第１の駆動部１８は、第１の生成部１７によって生成される前記第１のパターンに基づいて表示器１２を駆動するための第１の駆動手段である。また、第２の駆動部２８は、第２の生成部２７によって生成される前記第２のパターンに基づいて表示器２２を駆動するための第２の駆動手段である。
【００２８】
なお、第１実施形態は、図示はしないが、これらの構成のほか、電源や、アンプ、スピーカなど音響再生のために必要な他の構成要素を備えている。
【００２９】
〔１−２．第１実施形態の作用〕
以上のように構成された第１実施形態は、次のように作用する。
〔１−２−１．作用の概略〕
第１実施形態では、信号レベルを表すＡＤ値が、簡易ＤＳＰ１５を内蔵するスレーブユニット１で測定され、バス３によってセンターユニット２に配信される。そして、スレーブユニット１及びセンターユニット２で表示すべきパターンはそれぞれスレーブユニット１及びセンターユニット２で生成される。
【００３０】
ここで、図４は、第１実施形態におけるスペアナ表示パターンの一例を示す図である。この例は、スペアナ表示の各帯域について、ＡＤ値が一定以上の値になって下側の第１の表示領域Ａ１でバーグラフＧが上端まで伸びると、その上の第２の表示領域Ａ２でピンボールゲームの玉に見立てた図形（以下単に「玉」と呼ぶ）Ｂが跳ね上がって落ちるようなグラフィックス表示をするもので、信号レベルが高い帯域において、上端まで伸びたバーグラフＧが玉Ｂを突き上げるように見せるものである。
【００３１】
ここで、スレーブユニット１の表示器１２の下部の領域Ａ１は、従来技術と同様のスペアナ表示が行われる領域で、スペアナ（ＳＰＥ／ＡＮＡ）表示領域Ａ１と呼ぶ。また、玉が跳ねる領域Ａ２は、この表示器１２の上部とセンターユニット２の表示器２２とにまたがって設定されている。そして、このようなスペアナ表示領域Ａ１と玉が跳ねる領域Ａ２とが、第１実施形態におけるスペアナ表示パターンの全体を構成している。
【００３２】
すなわち、この例では、例えば、左端のバーグラフＧに対応する帯域のＡＤ値が一定値を超えると、このバーグラフＧがスペアナ表示領域Ａ１の上端に達し、玉Ｂが跳ね上が始める（図５）。跳ね上がる玉Ｂは、スレーブユニット１の表示器１２の上限に達すると（図６）センターユニット２側の表示器２２に移り（図７）、センターユニット側の表示領域の上端に達すると、跳ね上がったときと逆に落下する（図８）。
【００３３】
このような表示を行うスペアナ表示領域Ａ１及び玉が跳ねる領域Ａ２は、より具体的には、例えば次のように構成することが考えられる。まず、スペアナ表示領域Ａ１では、図４に示すように、５×５＝２５個ブロック状にまとまった表示素子を使う場合、それぞれのブロックについて、中央一列を消灯（図では白い中抜きで表す）すれば、２つの帯域のバーグラフＧを表すことができる。このため、図４の例では、２つの帯域×８ブロック＝１６帯域のバーグラフＧを表すことができる。
【００３４】
また、玉が跳ねる領域Ａ２は、横方向については幅や表示素子数はスペアナ表示領域Ａ１と同様とし、縦方向については、表示器１２と表示器２２それぞれで７ドットずつ表示素子を使えば、跳ねる高さは合わせて１４ドット確保することができる。
【００３５】
なお、ここで示している表示に関する構成は一例に過ぎず、自由に変更したり、モードなどに合わせて各表示部分の用途を切り替えたりすることができる。例えば、帯域（バンド）の数は１４や１２などでもよく、例えば左右に並ぶ第１〜第１４バンドを、音源についてモノラルモードの場合は左側から右側に向かって低域→高域の各周波数帯域に対応させればよい。
【００３６】
また、同じ第１〜第１４バンドを使う場合でも、ステレオモードの場合は、第１〜第７バンドは左チャンネル（Ｌ）側の低域→高域の各周波数帯域に対応させ、第８〜第１４バンドは右チャンネル（Ｒ）側の低域→高域バンドの各周波数帯域に対応させればよい。
【００３７】
〔１−２−２．スペアナ表示の手順〕
上記のようなスペアナ表示は、大まかには、次のような処理手順によって実現される。すなわち、まず、スレーブユニット１でＡＤ値が測定され、測定されたＡＤ値は、スレーブユニット１のマイクロコンピュータ１３だけでなく、バス３経由でセンターユニット２にも配信される。
【００３８】
そして、センターユニット２及びスレーブユニット１それぞれにおいて、どのような表示を行うかをＡＤ値より算出する。そして、表示位置やパターン番号といったこの算出結果に対応する表示パターンが生成され、それぞれのユニット１，２が管理する表示器１２，２２に表示が出力される。この場合、例えば上記の跳ねる個々の玉Ｂに関しては、玉の位置（高さ）に応じて、センターユニット２側の表示器２２又はスレーブユニット１側の表示器１２のいずれかに玉Ｂが表示されることになる。
【００３９】
次に、図９及び図１０は、それぞれ、第１実施形態における連動スペアナ表示のうち玉の位置に関して、スレーブユニット１側の処理手順及びセンターユニット２側の処理手順を示したフローチャートである。なお、玉の位置以外の例えばスペアナ表示領域Ａ１における表示パターンの生成については、図示はしないが、従来技術と同様の手順で行えばよい。
【００４０】
そして、図９に示すスレーブユニット１側の手順では、簡易ＤＳＰ１５が測定したＡＤ値から第１の生成部１７が玉の位置データを算出し（ステップ９１）、このように算出した玉の位置データを、スレーブユニット１側の変換用配列を使って表示データに変換する（ステップ９２）。
【００４１】
ここで、変換用配列としては、例えば玉の跳ねている高さを配列変数の添字すなわち要素番号とし、その要素番号の配列変数に、その高さに玉を表示するためのドットパターンを格納したものなどを用いればよい。そして、このような変換用配列によって生成される表示データは、スペアナ表示パターンのうち表示器１２に表示する部分を表す第１のパターンである。
【００４２】
そして、第１の駆動部１８が、このように生成された表示データについて、スレーブユニット１側の表示器１２を駆動することによって出力する（ステップ９３）。
【００４３】
また、図１０に示すセンターユニット２側の手順では、第２の生成部２７が、配信されたＡＤ値から玉の位置データを算出し（ステップ１０１）、このように算出した玉の位置データを、センターユニット２側の変換用配列を使って、第２のパターンを表す表示データに変換する（ステップ１０２）。そして、第２の駆動部２８が、このように生成された表示データについて、センターユニット２側の表示器２２を駆動することによって出力する（ステップ１０３）。
【００４４】
ここで、上記のような玉の位置データの算出（ステップ９１，１０１）について、スレーブユニット１とセンターユニット２との間では表示するかしないかの基準は異なるが、それ以外は共通の処理手順によって実現することができる。このため、このような共通の処理手順を図１１のフローチャートに示す。
【００４５】
すなわち、この手順では、まずＡＤ値を、スレーブユニット１では簡易ＤＳＰ１５によって作成することによって、また、センターユニット２ではバス３経由で受信することによって、ワークエリアなどに格納する（ステップ１１１）。そして、生成部１７又は２７が、まず、ループの制御変数ｎを１に初期化したうえ（ステップ１１２）、１ずつインクリメントしながら（ステップ１１８）、表示すべき１４バンド分について（ステップ１１９）、次のような処理を繰り返す。
【００４６】
この繰り返しでは、制御変数ｎの指す第ｎバンドの玉が跳ねていない待機状態かどうかを判断する（ステップ１１３）。この玉の状態は、バンドごとの玉の状態や位置を別の変数に記録しておいて参照したり、表示器１２や表示器２２の各表示素子の点滅状態を参照するといった手法で判断することができる。
【００４７】
ステップ１１３の判断の結果、玉が待機状態の場合は、第ｎバンドのＡＤ値が一定値以上かを判断し（ステップ１１４）、一定値以上の場合は第ｎバンドのバーグラフＧがスペアナ表示領域Ａ１の上端に達した場合であるから、第ｎバンドの玉の位置をインクリメントする（ステップ１１５）。ここで、玉の位置は、必ずしも玉が跳ねる領域Ａ２の下端からの物理的な距離で表す必要はなく、上向きに跳ね上がっている最中か下向きに落下している最中かの情報も含んだ位置として表すことができる。
【００４８】
例えば、縦方向１４段の動きを表す場合、上端を基準（０）として待機位置を−１３とし、＋１ずつインクリメントしながら、表示位置としてはその値の絶対値をとればよい。そして、第ｎバンドの玉の位置が一定値以上の場合は（ステップ１１６）玉の位置を例えば上記の−１３にクリアし、待機状態にする（ステップ１１７）。
【００４９】
〔１−２−３．表示例〕
次に、第１実施形態において、上記のような手順によって表示されるスペアナ表示パターンの一例を図１２に示す。この例は、表示器１２の領域１２２をスペアナ表示領域、領域１２１を玉が跳ねる領域の下半分、表示器２２の領域２２１を玉が跳ねる領域の上半分としたものである。
【００５０】
〔１−３．第１実施形態の効果〕
以上のように、第１実施形態では、２つの機器すなわちスレーブユニット１及びセンターユニット２の２つの表示器１２，２２を使って、一体のものとして大きくわかりやすいスペアナ表示が行われ、表示器１２，２２が効果的に活用される。
【００５１】
特に、第１実施形態では、信号レベルを表すＡＤ値をスレーブユニット１で生成し、バス３でセンターユニット２へ配信する。このため、信号レベルを生成する簡易ＤＳＰ１５がスレーブユニット１だけで足り、また、パターンの元となる信号レベルがスレーブユニット１とセンターユニット２間で統一されるので表示器１２，２２間で表示パターンのずれが生じない。
【００５２】
さらに、スレーブユニット１とセンターユニット２それぞれで表示すべきパターンはそれぞれの機器で生成されるので、生成したパターンそのものをスレーブユニット１とセンターユニット２との間で受け渡すための処理や通信量といった負担が生じない。
【００５３】
また、第１実施形態では、信号レベルが高い帯域で、上端まで伸びるバーグラフが図形で表された玉を突き上げるように見えるので、信号レベルが高い帯域が容易に認識でき、また、ピンボールゲームのような面白い視覚効果が得られる。
【００５４】
〔２．第２実施形態〕
また、本発明のおける表示の具体的な内容は第１実施形態にしめしたものには限定されない。すなわち、第２実施形態は、図１から図３と同様に構成されたカーオーディオシステムにおいて、他のスペアナ表示パターンを表示する例を示すものである。
【００５５】
例えば、図１３の例は、表示器１２の領域１２１と表示器２２の領域２２１とにまたがって上向きに伸縮する第１のバーグラフＧ１を表示し、表示器１２の領域１２２には、逆に下向きに伸縮する第２のバーグラフＧ２を表示するものである（図１３）。このようにすれば、第１のバーグラフＧ１と第２のバーグラフＧ２とが、水面に映したような反対の動きを見せ、興味深い視覚効果が得られる。
【００５６】
特に、表示器１２にオーディオの右チャンネルの信号レベル表示Ｒと、左チャンネルの信号レベル表示Ｌとを表示すれば、より多くの情報と興味深い視覚効果が得られる。なお、このようにオーディオの左右各チャンネルの信号レベルを２つの表示器に一体のものとして表示するには、例えば、図２及び図３に示した簡易ＤＳＰ１５を、与えられる音響信号を各チャンネルごとに分割してサンプリングするなど、各チャンネルごとの信号レベルを得るように構成する。
【００５７】
そして、また、図４に示した第１の生成部１７や第２の生成部２７をそれぞれ、前記チャンネルごとの信号レベルに基づいて、各表示器１２，２２に一体のものとして表示するための表示パターンを生成するように構成すればよい。
【００５８】
また、逆に、互いに反対の動きを示す第１のバーグラフＧ１と第２のバーグラフＧ２は、図１４に示すように、上端と下端から互いに近づく方向に伸縮させてもよい。さらに、図１５に示すように、領域１２１と領域２２１とにそれぞれ、互いに反対の動きを示す第１のバーグラフＧ１と第２のバーグラフＧ２とを表示し、領域１２２の上部は、信号レベル表示Ｒ，Ｌの表示領域を延長するために使ってもよい。
【００５９】
また、各周波数帯域ごとの信号レベルに基づいたスペアナ表示に代えて、又はスペアナ表示と共に、図１６に示すように、領域１２２の上部に延長された信号レベル表示Ｒ，Ｌの横幅に基づいた残像が、上側の各領域１２２，２２１と、領域１２２の下部に流れてゆくように表示してもよい。このようにすれば、左右各チャンネルの信号レベルが、スレーブユニット１及びセンターユニット２の２つの表示器１２，２２に一体のものとして大きくわかりやすく表示されるので、表示器が効果的に活用される。
【００６０】
〔３．他の実施の形態〕
なお、本発明は上記各実施形態に限定されるものではなく、次に例示するような他の実施形態も含むものである。例えば、本発明の音響再生装置及びその制御方法並びに音響再生装置の制御用ソフトウェアを記録した記録媒体は、再生専用には限定されず、カセットテープやＭＤの録音機能など他の機能を持つものも含む概念である。
【００６１】
また、本発明に係る音響再生装置は、３つ以上の機器を備えていてもよく、第１の機器や第２の機器がそれぞれ複数存在してもよく、また、信号レベルはそれぞれの機器において音源から別個独立に得てもよい。さらに、各機器で表示するパターンをどこか１ケ所で一元的に生成してもよい。また、１つの機器で信号レベルを得る場合、信号レベルを得る第１のユニットは、センターユニット２のような制御側のユニットである必要はない。
【００６２】
また、表示器の種類や構成は自由であり、第１の表示器にＬＣＤ、第２の表示器に蛍光管を使うなど、具体的な構成は自由に決定することができる。また、与えられる音響信号から各周波数帯域ごとの信号レベルを得るための手段は、簡易ＤＳＰには限定されず、他の種類の回路や構成を自由に用いることができる。
【００６３】
また、帯域ごとの信号レベルを第１の機器から第２の機器に送るためのバスは、情報を伝達する手段を広く意味するものであり、コンピュータ用の狭義のバスには限定されないので、その形式や構成は自由である。また、上記各実施形態に示した具体的な表示の内容は例示に過ぎず、他の形式の表示内容を自由に採用することができる。
【００６４】
また、本発明の音響再生装置の制御用ソフトウェアを記録した記録媒体は、ＭＤなどのディスクに対するタイトル入力といった他の機能も自由に組み合わせた制御用ソフトウェアが格納されたアップグレード用ＲＯＭチップなど、自由な形態で実現することができる。
【００６５】
また、例えば、再生対象とするディスクと同じ形式のＭＤなどのディスクに、本発明を実現するための上記のような制御用ソフトウェアをファイルなどの形式で記録したものを提供し、ユーザーがそのディスクをカーオーディオシステムなどの音響再生装置に挿入することで、そのような制御用ソフトウェアをユーザーの音響再生装置にインストールするようにしてもよい。
【００６６】
【発明の効果】
以上のように、本発明によれば、互いに接続された２つの機器の表示器で、一体のスペアナ表示を行う音響再生表示装置及びその制御方法並びに制御プログラムを提供することができる。
【図面の簡単な説明】
【図１】本発明の第１実施形態の概略的な機器構成の一例を示すブロック図。
【図２】本発明の第１実施形態において、特にＡＤ値に基づくスペアナ表示に関する構成の一例を示すハードウェアブロック図。
【図３】本発明の第１実施形態のより具体的な構成の一例を示す機能ブロック図。
【図４】本発明の第１実施形態における各表示器と各表示領域との構成の一例を示す図。
【図５】本発明の第１実施形態において、バーグラフがスペアナ表示領域の上端に達し、玉が跳ね上がり始めた状態の表示例を示す図。
【図６】本発明の第１実施形態において、跳ね上がる玉がスレーブユニットの表示器の上端に達した状態の表示例を示す図。
【図７】本発明の第１実施形態において、跳ね上がる玉がセンターユニットの表示器に移った状態の表示例を示す図。
【図８】本発明の第１実施形態において、跳ね上がった玉が再び落下してくる状態を示す図。
【図９】本発明の第１実施形態において、連動スペアナ表示のためのスレーブユニット側における処理手順を示すフローチャート。
【図１０】本発明の第１実施形態において、連動スペアナ表示のためのセンターユニット側における処理手順を示すフローチャート。
【図１１】本発明の第１実施形態において、玉の位置を算出するためのスレーブユニットとセンターユニットで共通の処理手順を示すフローチャート。
【図１２】本発明の第１実施形態におけるより具体的な表示例の一例を示す図。
【図１３】本発明の第２実施形態において、２つのバーグラフがそれぞれ上下反対方向に向かって伸縮する表示例を示す図。
【図１４】本発明の第２実施形態において、２つのバーグラフがそれぞれ図１３とは反対方向に向かって伸縮する表示例を示す図。
【図１５】本発明の第２実施形態において、２つのバーグラフがそれぞれ反対方向に向かって伸縮するとともに、左右各チャンネルの信号レベル表示が延長される表示例を示す図。
【図１６】本発明の第２実施形態において、左右各チャンネルの信号レベル表示が延長されるとともに、延長部分の残像が上下に流れる表示例を示す図。
【符号の説明】
１…スレーブユニット
２…センターユニット
３…バス
４…キー
１２，２２…表示器
１３，２３…マイクロコンピュータ
１５…簡易ＤＳＰ１５
１７…第１の生成部
１８…第１の駆動部
２７…第２の生成部
２８…第２の駆動部
５１…周波数分割部
５２…Ａ／Ｄ変換部
５３…サンプリング部
１２１，１２２，２２１…領域
Ａ１…スペアナ表示領域
Ａ２…玉が跳ねる領域
Ｂ…玉
Ｇ…バーグラフ
Ｇ１…第１のバーグラフ
Ｇ２…第２のバーグラフ
Ｒ…右チャンネルの信号レベル表示
Ｌ…左チャンネルの信号レベル表示
【図１】
0004203928.tif 000002
【図２】
0004203928.tif 000003
【図３】
0004203928.tif 000004
【図４】
0004203928.tif 000005
【図５】
0004203928.tif 000006
【図６】
0004203928.tif 000007
【図７】
0004203928.tif 000008
【図８】
0004203928.tif 000009
【図９】
0004203928.tif 000010
【図１０】
0004203928.tif 000011
【図１１】
0004203928.tif 000012
【図１２】
0004203928.tif 000013
【図１３】
0004203928.tif 000014
【図１４】
0004203928.tif 000015
【図１５】
0004203928.tif 000016
【図１６】
0004203928.tif 000017